(57)【要約】【課題】リレー方式の通信システムにおいて、バックホールリンクリソースを複数のパーティションに分割して割り当て、データを送受信する方法及び装置を提供すること。【解決手段】本発明による方法は、基地局からリレー又は端末にデータが送信されるダウンリンクチャネルのサブフレームにおける最初の所定数のＯＦＤＭシンボル送信区間を、端末の制御情報を送信する制御チャネルに割り当てる段階と、サブフレームにおける制御チャネルを除いたリソース領域を周波数次元で少なくとも２つのパーティションに分割する段階と、分割された各パーティションに対して、リレーにリソースを割り当てるか、端末にリソースを割り当てるかを決定する段階と、決定されたパーティションにデータを割り当ててダウンリンクチャネルでリレー又は端末に送信する段階とを含む。【選択図】図２０
2014068385.tif 000002
【特許請求の範囲】
【請求項１】
リレー通信システムのデータ送受信方法において、
基地局からリレー又は端末にデータが送信されるダウンリンクチャネルのサブフレームにおける最初の１つ〜３つのＯＦＤＭシンボル送信区間を、前記端末の制御情報を送信する制御チャネルに割り当てる段階と、
前記サブフレームにおける前記制御チャネルを除いたリソース領域を周波数次元で少なくとも２つのパーティションに分割する段階と、
前記分割された各パーティションに対して、前記リレーにリソースを割り当てるか、前記端末にリソースを割り当てるかを決定する段階と、
前記決定されたパーティションにデータを割り当てて前記ダウンリンクチャネルで前記リレー又は前記端末に送信する段階とを含み、
前記リレーにリソースを割り当てるように決定されたパーティションは、前記リレーの制御チャネル及びデータチャネルが時分割多重化（ＴＤＭ）又は周波数分割多重化（ＦＤＭ）されて前記リレーに送信されることを特徴とするデータ送信方法。
【請求項２】
前記パーティションに分割する段階は、
前記分割されたパーティションの総数、各パーティションのサイズ、及び各パーティションが占めるリソースの位置に関する情報が、上位層制御信号によって前記リレーに送信される段階を更に含むことを特徴とする請求項１に記載のデータ送信方法。
【請求項３】
前記リレーにリソースを割り当てるように決定されたパーティションは、前記リレーの制御チャネル及びデータチャネルが時分割多重化（ＴＤＭ）され、
前記リレーにリソースを割り当てるように決定されたパーティションにおける最初の所定数のＯＦＤＭシンボル送信区間は、前記パーティションの周波数帯域全体にわたって前記制御チャネルに割り当てられることを特徴とする請求項１に記載のデータ送信方法。
【請求項４】
前記各パーティションに存在する前記リレーの制御チャネルは、少なくとも２つのリレーの制御情報が互いにインタリーブされたものであることを特徴とする請求項３に記載のデータ送信方法。
【請求項５】
前記パーティションに対して、前記リレーにリソースを割り当てるか、前記端末にリソースを割り当てるかを決定する段階は、
周波数領域全体において、前記端末にリソースが割り当てられる領域と前記リレーにリソースが割り当てられる領域とがそれぞれ半永続的（semi-persistent）になるように、前記パーティションに対してリソース割り当て対象を決定し、
前記リレーにリソースを割り当てるように決定されたパーティションは、前記リレーの制御チャネル及びデータチャネルが時分割多重化（ＴＤＭ）されることを特徴とする請求項１に記載のデータ送信方法。
【請求項６】
前記リレーにリソースを割り当てるように決定されたパーティションは、パーティション毎に１つのリレーのデータが割り当てられ、１つのパーティションの制御チャネルによって他のパーティションの制御情報が送信されることを特徴とする請求項１に記載のデータ送信方法。
【請求項７】
リレー通信システムのデータ送受信装置において、
ダウンリンクリソースを周波数次元で少なくとも２つのパーティションに分割し、前記分割された各パーティションに対して、リレーにリソースを割り当てるか、端末にリソースを割り当てるかを決定する制御装置と、
前記決定されたパーティションにデータを割り当てて前記ダウンリンクチャネルで前記リレー又は前記端末にデータを送信する送信器とを含み、
前記リレーにリソースを割り当てるように決定されたパーティションは、前記リレーの制御チャネル及びデータチャネルが時分割多重化（ＴＤＭ）又は周波数分割多重化（ＦＤＭ）されて前記リレーに送信されることを特徴とするデータ送信装置。
【請求項８】
前記送信器は、前記分割されたパーティションの総数、各パーティションのサイズ、及び各パーティションが占めるリソースの位置に関する情報を、上位層制御信号によって前記リレーに送信することを特徴とする請求項７に記載のデータ送信装置。
【請求項９】
前記リレーにリソースを割り当てるように決定されたパーティションは、前記リレーの制御チャネル及びデータチャネルが時分割多重化（ＴＤＭ）され、
前記リレーにリソースを割り当てるように決定されたパーティションにおける最初の所定数のＯＦＤＭシンボル送信区間は、前記パーティションの周波数帯域全体にわたって前記制御チャネルに割り当てられることを特徴とする請求項７に記載のデータ送信装置。
【請求項１０】
前記リレーにリソースを割り当てるように決定されたパーティションは、前記リレーの制御チャネル及びデータチャネルが時分割多重化（ＴＤＭ）され、
前記リレーにリソースを割り当てるように決定されたパーティションは、少なくとも２つのリレーのデータを含み、前記各リレーの制御チャネルは、当該リレーのデータが割り当てられた周波数領域のリソース位置と一致するように、リソースが割り当てられることを特徴とする請求項７に記載のデータ送信装置。
【請求項１１】
前記制御装置は、周波数領域全体において、前記端末にリソースが割り当てられる領域と前記リレーにリソースが割り当てられる領域とがそれぞれ半永続的（semi-persistent）になるように、前記パーティションに対してリソース割り当て対象を決定し、
前記リレーにリソースを割り当てるように決定されたパーティションは、前記リレーの制御チャネル及びデータチャネルが時分割多重化（ＴＤＭ）されることを特徴とする請求項７に記載のデータ送信装置。
【請求項１２】
前記リレーにリソースを割り当てるように決定されたパーティションは、パーティション毎に１つのリレーのデータが割り当てられ、１つのパーティションの制御チャネルによって他のパーティションの制御情報が送信されることを特徴とする請求項７に記載のデータ送信装置。
【請求項１３】
リレー通信システムのデータ送受信装置において、
バックホール（backhaul）リンクチャネルで基地局から送信されたデータを受信する受信器と、
前記受信したデータを所定の周波数領域においてブラインド復号する復号器とを含み、  前記復号器は、周波数領域の特定の位置で制御チャネルが正常に復号されると、当該制御チャネルが占有する周波数リソースにデータが割り当てられたことを認識し、バックホールデータを復号することを特徴とするデータ受信装置。
【請求項１４】
前記バックホールリンクチャネルは、周波数次元で少なくとも２つのパーティションに分割され、
前記パーティションは、前記リレーの制御チャネル及びデータチャネルが時分割多重化（ＴＤＭ）又は周波数分割多重化（ＦＤＭ）されて前記リレーに送信されることを特徴とする請求項１３に記載のデータ受信装置。
【請求項１５】
前記パーティションは、前記リレーの制御チャネル及びデータチャネルが時分割多重化（ＴＤＭ）されて前記リレーに送信され、
前記復号器は、特定のパーティションで制御チャネルが正常に復号されると、当該パーティションにおける最初の所定数のＯＦＤＭシンボルが制御信号に割り当てられたことを認識し、データを復号することを特徴とする請求項１４に記載のデータ受信装置。
【発明の詳細な説明】
【技術分野】
【０００１】
本発明は、リレー方式の通信システムにおけるデータ送受信方法及び装置に関し、バックホール（backhaul）リンクリソースを複数のパーティションに分割して割り当て、データを送受信する方法及び装置に関する。
【背景技術】
【０００２】
近年、通信システムは、サービス周波数帯域が次第に高くなり、高速通信及びより多くの通話量をサポートするためにセルの半径が次第に小さくなる趨勢であるので、従来の中央集中的なセルラ無線ネットワーク方式を今後もそのまま運用するには多くの問題がある。すなわち、基地局の位置が固定されており、無線リンク構成の柔軟性（フレキシビリティ）が劣るので、トラフィック分布や通話要求量の変化が大きい無線環境で効率的な通信サービスを提供することが困難であるという問題がある。
【０００３】
このような問題を解決するために、マルチホップリレーシステムが提案された。マルチホップリレーシステムは、セルエリア内に発生する部分的な陰影領域をカバーしてセルサービスエリアを広げることができ、システム容量を増大させることができるだけでなく、サービス要求の少ない初期状況においてリレーを利用することによって、初期設置コストの負担を軽減することができるという利点がある。
【０００４】
図１は、リレー方式の通信システムを概略的に示す図である。
【０００５】
基地局１０１は、端末１０５、１０７とチャネルリンクを形成する際に、端末１０５との直接リンク１２１によるチャネルを形成することもでき、リレー１０３を介して端末１０７とのチャネルを形成することもできる。ここで、基地局１０１からリレー１０３に形成されたダウンリンクチャネル１２３をバックホールリンクという。バックホールリンク１２３は、基地局１０１からリレー１０３にデータが送信されるリレー物理ダウンリンク共有チャネル（Ｒ−ＰＤＳＣＨ）及び制御情報が送信されるリレー物理ダウンリンク制御チャネル（Ｒ−ＰＤＣＣＨ）を含む。
【０００６】
前述したように、基地局がリレーにダウンリンクバックホールするサブフレームでは、リレーの制御情報及びバックホールデータが送信されなければならないため、基地局と端末との間のダウンリンクサブフレームと共に送受信されることが困難であり、ダウンリンクバックホールデータのトラフィック量に応じたリソース割当ての調節に制約が生じる。
【発明の概要】
【発明が解決しようとする課題】
【０００７】
本発明は、このような問題を解決するためになされたもので、バックホールチャネルで基地局が動的にリソース割当てのためのスケジューリングを行うことによって、周波数選択性を高め、トラフィック量に応じたリソース調節を行うことのできるバックホールリンクリソース割り当て方法を提供する。
【０００８】
また、本発明は、基地局とリレー間のバックホールリンクサブフレームと、基地局と端末との間のダウンリンクサブフレームとが共存することのできるバックホールリンクリソース割当て方法を提供する。
【０００９】
さらに、本発明は、リレーがバックホールリンクデータを復号する際の時間遅延を防止するバックホールリンクリソース割当て方法、及びそれを用いたバックホールリンクデータ送受信方法を提供する。
【課題を解決するための手段】
【００１０】
上記目的を達成するための本発明の一実施形態によるデータ送信方法は、リレー通信システムのデータ送受信方法において、基地局からリレー又は端末にデータが送信されるダウンリンクチャネルのサブフレームにおける最初の所定数の直交周波数分割多重化（ＯＦＤＭ）シンボル送信区間を、端末の制御情報を送信する制御チャネルに割り当てる段階と、サブフレームにおける制御チャネルを除いたリソース領域を周波数次元で少なくとも２つのパーティションに分割する段階と、分割された各パーティションに対して、リレーにリソースを割り当てるか、端末にリソースを割り当てるかを決定する段階と、決定されたパーティションにデータを割り当ててダウンリンクチャネルでリレー又は端末に送信する段階とを含み、リレーにリソースを割り当てるように決定されたパーティションは、リレーの制御チャネル及びデータチャネルが時分割多重化（ＴＤＭ）又は周波数分割多重化（ＦＤＭ）されてリレーに送信されることを特徴とする。
【００１１】
好ましくは、パーティションに分割する段階は、分割されたパーティションの総数、各パーティションのサイズ、及び各パーティションが占めるリソースの位置に関する情報が、上位層制御信号によってリレーに送信される段階を更に含むことを特徴とする。
【００１２】
好ましくは、リレーにリソースを割り当てるように決定されたパーティションは、リレーの制御チャネル及びデータチャネルが時分割多重化（ＴＤＭ）され、リレーにリソースを割り当てるように決定されたパーティションにおける最初の所定数のＯＦＤＭシンボル送信区間は、パーティションの周波数帯域全体にわたって制御チャネルに割り当てられることを特徴とする。
【００１３】
好ましくは、リレーにリソースを割り当てるように決定されたパーティションは、リレーの制御チャネル及びデータチャネルが時分割多重化（ＴＤＭ）され、リレーにリソースを割り当てるように決定されたパーティションは、少なくとも２つのリレーのデータを含み、各リレーの制御チャネルは、当該リレーのデータが割り当てられた周波数領域のリソース位置と一致するように、リソースが割り当てられることを特徴とする。
【００１４】
好ましくは、パーティションに対して、リレーにリソースを割り当てるか、端末にリソースを割り当てるかを決定する段階は、周波数領域全体において、端末にリソースが割り当てられる領域とリレーにリソースが割り当てられる領域とがそれぞれ半永続的（semi-persistent）になるように、パーティションに対してリソース割り当て対象を決定し、リレーにリソースを割り当てるように決定されたパーティションは、リレーの制御チャネル及びデータチャネルが時分割多重化（ＴＤＭ）されることを特徴とする。
【００１５】
好ましくは、リレーにリソースを割り当てるように決定されたパーティションは、パーティション毎に１つのリレーのデータが割り当てられ、１つのパーティションの制御チャネルによって他のパーティションの制御情報が送信されることを特徴とする。
【００１６】
上記目的を達成するための本発明の一実施形態によるデータ送信装置は、ダウンリンクリソースを周波数次元で少なくとも２つのパーティションに分割し、分割された各パーティションに対して、リレーにリソースを割り当てるか、端末にリソースを割り当てるかを決定する制御装置と、決定されたパーティションにデータを割り当ててダウンリンクチャネルでリレー又は端末にデータを送信する送信器とを含み、リレーにリソースを割り当てるように決定されたパーティションは、リレーの制御チャネル及びデータチャネルが時分割多重化（ＴＤＭ）又は周波数分割多重化（ＦＤＭ）されてリレーに送信されることを特徴とする。
【００１７】
好ましくは、送信器は、分割されたパーティションの総数、各パーティションのサイズ、及び各パーティションが占めるリソースの位置に関する情報を、上位層制御信号によってリレーに送信することを特徴とする。
【００１８】
好ましくは、リレーにリソースを割り当てるように決定されたパーティションは、リレーの制御チャネル及びデータチャネルが時分割多重化（ＴＤＭ）され、リレーにリソースを割り当てるように決定されたパーティションにおける最初の所定数のＯＦＤＭシンボル送信区間は、パーティションの周波数帯域全体にわたって制御チャネルに割り当てられることを特徴とする。
【００１９】
好ましくは、リレーにリソースを割り当てるように決定されたパーティションは、リレーの制御チャネル及びデータチャネルが時分割多重化（ＴＤＭ）され、リレーにリソースを割り当てるように決定されたパーティションは、少なくとも２つのリレーのデータを含み、各リレーの制御チャネルは、当該リレーのデータが割り当てられた周波数領域のリソース位置と一致するように、リソースが割り当てられることを特徴とする。
【００２０】
好ましくは、制御装置は、周波数領域全体において、端末にリソースが割り当てられる領域とリレーにリソースが割り当てられる領域とがそれぞれ半永続的になるように、パーティションに対してリソース割り当て対象を決定し、リレーにリソースを割り当てるように決定されたパーティションは、リレーの制御チャネル及びデータチャネルが時分割多重化（ＴＤＭ）されることを特徴とする。
【００２１】
好ましくは、リレーにリソースを割り当てるように決定されたパーティションは、パーティション毎に１つのリレーのデータが割り当てられ、１つのパーティションの制御チャネルにより他のパーティションの制御情報が送信されることを特徴とする。
【００２２】
上記目的を達成するための本発明の一実施形態によるデータ受信装置は、バックホールリンクチャネルで基地局から送信されたデータを受信する受信器と、受信したデータを所定の周波数領域においてブラインド復号する復号器とを含み、バックホールリンクチャネルは、周波数次元で少なくとも２つのパーティションに分割され、パーティションでリレーの制御チャネル及びデータチャネルが時分割多重化（ＴＤＭ）され、復号器は、周波数領域の特定の位置で制御チャネルが正常に復号されると、当該制御チャネルが占有する周波数リソースにデータが割り当てられたことを認識し、バックホールデータを復号するか、又は特定のパーティションで制御チャネルが正常に復号されると、当該パーティションにおける最初の所定数のＯＦＤＭシンボルが制御信号に割り当てられたことを認識し、データを復号することを特徴とする。
【発明の効果】
【００２３】
本発明によれば、バックホールチャネルで基地局が動的にリソース割り当てのためのスケジューリングを行うことによって、周波数選択性を高め、トラフィック量に応じたリソース調節を行うことができるという効果が生じる。
【００２４】
また、本発明のバックホールリンクリソース割り当て方法によれば、基地局とリレーとの間のバックホールリンクサブフレームと、基地局と端末間のダウンリンクサブフレームとを共に送受信することができ、リレーがバックホールリンクデータを復号する際に発生する時間遅延を防止することができるという効果が生じる。
【図面の簡単な説明】
【００２５】
【図１】リレー方式の通信システムを概略的に示す図である。
【図２】基地局及びリレーのサブフレーム構造を示す図である。
【図３】バックホールリンクデータが多対地送信・同報単一周波数網（ＭＢＳＦＮ）サブフレームで構成された場合における、リレーの信号送受信動作を説明する図である。
【図４】本発明の一実施形態によってバックホールリンクチャネルのリソースを周波数領域上で複数のパーティションに分割して構成することを示す図である。
【図５】バックホールリンクリソースを半永続的にリレーに割り当てる実施形態を示す図である。
【図６】制御チャネル及びデータチャネルが時分割多重化されたバックホールリンクのリソース割当ての実施形態を示す図である。
【図７】制御チャネル及びデータチャネルが周波数分割多重化されたバックホールリンクのリソース割当ての実施形態を示す図である。
【図８】制御チャネル及びデータチャネルが周波数分割多重化されたバックホールリンクのリソース割当ての実施形態を示す図である。
【図９】端末及びリレーのデータチャネルがバックホールリンクチャネルに共存できるようにバックホールリンクリソースを複数のパーティションに分割してリソースを割り当てる実施形態を示す図である。
【図１０】端末及びリレーのデータチャネルがバックホールリンクチャネルに共存できるようにバックホールリンクリソースを複数のパーティションに分割してリソースを割り当てる他の実施形態を示す図である。
【図１１】周波数リソース全体を端末に割り当てられる領域とリレーに割り当てられる領域とに分けてリソースを割り当てる実施形態を示す図である。
【図１２】ビットマップによってバックホールリンクに割り当てられたパーティションの位置を通知する実施形態を示す図である。
【図１３】リレーの制御チャネルがバックホールチャネルに割り当てられたパーティションの周波数領域の一部分のみを占めるように割り当てられる実施形態を示す図である。
【図１４】リレーの制御チャネルがバックホールチャネルに割り当てられたパーティションの周波数領域の一部分のみを占めるように割り当てられる実施形態を示す図である。
【図１５】他のパーティションに存在するリソースに関するスケジューリング情報を送信するように制御チャネルを割り当てる実施形態を示す図である。
【図１６】１つのパーティションに特定のリレーのバックホールデータを割り当てる実施形態を示す図である。
【図１７】図１６を参照して説明した実施形態の変形実施形態を示す図である。
【図１８】図１６を参照して説明した実施形態の変形実施形態を示す図である。
【図１９】図１６を参照して説明した実施形態の変形実施形態を示す図である。
【図２０】本発明の一実施形態による基地局のバックホールチャネルリソース割当て及びデータ送信方法を順次示すフローチャートである。
【図２１】本発明の一実施形態による基地局の構成を概略的に示すブロック図である。
【図２２】本発明の一実施形態によるリレーの構成を概略的に示すブロック図である。
【発明を実施するための形態】
【００２６】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面により本発明の思想が制限されるように解釈されてはならないことに留意すべきである。
【００２７】
本発明の通信システムは、音声やパケットデータなどの様々な通信サービスを提供するためのシステムであって、基地局、リレー、及び端末を含む。以下、長期進化（ＬＴＥ）システム又は高度ＬＴＥ（ＬＴＥ−Ａｄｖａｎｃｅｄ）システムを代表例として説明する。
【００２８】
本発明の端末は、加入者局（ＳＳ）、ユーザ装置（ＵＥ）、移動装置（ＭＥ）、移動機（ＭＳ）などと呼ばれ、携帯電話、ＰＤＡ、スマートフォン、ノートブックコンピュータなどのように通信機能を備えた携帯可能な機器、又はＰＣ、車両搭載装置などのように携帯不可能な機器を含む。
【００２９】
本発明の基地局とは、端末と通信を行う固定局をいい、進化ノードＢ（ｅＮＢ）、基地局（ＢＳ）、基地局装置（ＢＴＳ）、アクセスポイントなどの用語に代えてもよい。１つの基地局には１つ以上のセルが存在し、基地局間ではユーザトラフィック又は制御トラフィックの伝送のためのインタフェースが使用される。また、ダウンリンクとは、基地局から端末への通信チャネルを意味し、アップリンクとは、端末から基地局への通信チャネルを意味する。
【００３０】
本発明の無線通信システムに適用される多元接続方式は、符号分割多元接続（ＣＤＭＡ）、時分割多元接続（ＴＤＭＡ）、周波数分割多元接続（ＦＤＭＡ）、単一搬送波周波数分割多元接続（ＳＣ−ＦＤＭＡ）、直交周波数分割多元接続（ＯＦＤＭＡ）、又は公知の他の変調技術などの多元接続方式をすべて含む。
【００３１】
また、ダウンリンク伝送のための多元接続方式とアップリンク伝送のための多元接続方式とは異なってもよい。例えば、ダウンリンクはＯＦＤＭＡ方式を用い、アップリンクはＳＣ−ＦＤＭＡ方式を用いてもよい。
【００３２】
以下、添付図面を参照して本発明の好ましい実施形態を詳細に説明する。添付図面を参照して説明するにあたって、図面番号に関係なく同一又は類似の構成要素には同一の符号を付して重複する説明は省略する。
【００３３】
リレー方式の通信システムにおいて、基地局は、バックホールリンクでリレーにダウンリンク信号を送信する。
【００３４】
図２は、基地局及びリレーのサブフレーム構造を示す図である。
【００３５】
同図に示すように、サブフレームは、制御チャネル２１０とデータチャネル２２０とを含む。制御チャネル２１０はＰＤＣＣＨなどを含み、データチャネル２２０はＰＤＳＣＨなどを含む。ＬＴＥシステムにおいては、周波数ダイバーシチを高めて制御チャネルの信頼性を向上させるために、複数のＰＤＣＣＨは、制御チャネル２１０領域で互いにインタリーブされることが好ましい。
【００３６】
リレーがダウンリンクバックホールするサブフレームにおいて、リレーは、最初の１つのＯＦＤＭシンボルから多くとも４つのＯＦＤＭシンボルの区間では、端末へのアクセスリンクで制御情報（ＰＤＣＣＨ）及び基準信号（ＣＲＳ（共通基準信号））を送信しなければならない。すなわち、リレーは、バックホールサブフレームにおいて、多くとも最初の４つのＯＦＤＭシンボルでは送信モード（Ｔｘ）で動作し、送信モード（Ｔｘ）から受信モード（Ｒｘ）に切り替えるための切り替えギャップ（transition gap）１０を有する。
【００３７】
基地局がリレーにＲ−ＰＤＣＣＨ又はＲ−ＰＤＳＣＨなどの信号を送信できる区間は、基地局のＰＤＳＣＨ区間２２０、すなわちＰＤＣＣＨの送信が終了した時点以降であるので、リレーは、基地局のＰＤＣＣＨ送信シンボル区間及び切り替えギャップ１０を考慮して基地局の信号を受信する準備を完了すると、リレーの受信モード（Ｒｘ）区間２２１で、基地局からＲ−ＰＤＣＣＨなどのリレー制御チャネル及びＲ−ＰＤＳＣＨなどのリレーデータチャネルを受信する。
【００３８】
その後、リレーは、基地局からの制御チャネル及びデータチャネルの受信を完了すると、次のサブフレームにおいて、端末アクセスリンクで制御チャネルを送信するために、受信モード（Ｒｘ）から送信モード（Ｔｘ）に切り替え、このとき、モード切り替えのために、切り替えギャップ２０である保護区間（ガード時間）を構成する。
【００３９】
よって、リレーは、切り替えギャップ１０、２０に対応するシンボルでデータを受信又は送信することができなくなる。したがって、リレーが必ず受信しなければならない信号は、リレーが切り替え動作を行うシンボルではなく、切り替え動作を終了した区間のシンボルで送信されるようにしなければならない。このような理由で、リレーがバックホールリンクサブフレームにおいて実際にバックホールとして使用できるサブフレームのシンボル数には制限が生じる。
【００４０】
バックホールの設計方式によって、バックホールリンクで送信されるサブフレームは、リレーが信号を受信できない可変区間１０、２０と、リレーが信号を受信できる固定区間２２１とに分けられる。可変区間１０、２０は、同図に示すように、リレーの送信区間２１１と、送信モードから受信モードに切り替える切り替え区間１０又は受信モードから送信モードに切り替える切り替え区間２０の保護区間に対応する時間区間のシンボルに該当する。
【００４１】
可変区間１０、２０は、バックホールの設計方式によって、同時に存在するか又は１つだけ存在し、例えば可変区間２０は、リレーのタイミング設計によって省略されることがある。
【００４２】
図３は、バックホールリンクデータがＭＢＳＦＮサブフレームで構成された場合における、リレーの信号送受信動作を説明する図である。
【００４３】
例えば、第３世代パートナシッププロジェクト進化はん用地上無線接続（３ＧＰＰ Ｅ−ＵＴＲＡ）システムでは、リレーがバックホールリンクで受信するサブフレームをＭＢＳＦＮサブフレームで構成することができ、リレーの送信モード（Ｔｘ）では一般的なダウンリンクサブフレーム３１０が送信され、リレーの受信モード（Ｒｘ）では基地局から送信されるバックホールリンクサブフレーム３０１が受信される。
【００４４】
リレーは、バックホールサブフレーム３０１の最初の１つ又は２つのＯＦＤＭシンボル区間でリレーに接続された端末に制御チャネル（ＰＤＣＣＨ）を送信し、保護区間１０以降のデータシンボル区間３０５で基地局からのダウンリンク信号を受信することができる。その後、リレーが受信モード（Ｒｘ）から送信モード（Ｔｘ）に切り替えるために保護区間２０を構成してもよい。
【００４５】
基地局は、リレーに送信されるバックホールリンクチャネルの無線リソースの割り当てを、特定のリレー毎に半永続的に行うこともでき、動的に行うこともできる。
【００４６】
以下、基地局のバックホールリンクチャネルの無線リソース割り当て方法を詳細に説明する。
【００４７】
図４は、本発明の一実施形態によってバックホールリンクチャネルのリソースを周波数領域上で複数のパーティションに分割して構成することを示す図である。
【００４８】
同図に示すように、基地局は、基地局と直接リンクで接続された端末の制御情報を送信するＰＤＣＣＨが送信されるＯＦＤＭシンボル区間４０１以降の無線リソースを、周波数次元で少なくとも２つの領域（パーティション）に分割する。
【００４９】
図４においては、分割されるパーティションの数を４つ（４１０、４２０、４３０、４４０）と仮定する。各パーティション４１０、４２０、４３０、４４０は、すべてが同一のサイズを有するように構成してもよく、異なるサイズを有するように構成してもよい。基地局は、パーティションの総数、各パーティションのサイズ、及び各パーティションが占めるリソースの位置などの情報を、上位層信号によってリレーに送信する。
【００５０】
その後、基地局は、該当サブフレームのダウンリンクスケジューリングを行う上で、まず、各パーティションを、基地局自身に直接リンクで接続された端末に割り当てるか、それとも、リレーのためのバックホールリンクに割り当てるかを決定する。
【００５１】
端末に割り当てられたパーティションでは、従来のように、端末に送信されるデータ（ＰＤＳＣＨ）が送信され、このためのスケジューリング情報は、端末に送信されるＰＤＣＣＨ４０１に含まれる。よって、１つのパーティションが端末への送信に使用される場合、少なくとも２つのデータチャネル（ＰＤＳＣＨ）が１つのパーティションに存在してもよい。
【００５２】
リレーへのバックホールリンクに割り当てられたパーティションでは、リレーに送信されるデータチャネル（Ｒ−ＰＤＳＣＨ）と、それに関するスケジューリング情報が送信される制御チャネル（Ｒ−ＰＤＣＣＨ）とが送信されなければならない。
【００５３】
ここで、リレーにリソースを割り当てるように決定されたバックホールリンクパーティションは、リレーの制御チャネル及びデータチャネルが時分割多重化（ＴＤＭ）又は周波数分割多重化（ＦＤＭ）されてリレーに送信されるようにすることができる。
【００５４】
図５は、バックホールリンクリソースを半永続的に特定のリレーに割り当てる実施形態を示す図である。
【００５５】
図５の実施形態においては、基地局がリレーに送信するバックホールデータと基地局自身に直接接続された端末に送信するデータとが共存するように、バックホールデータが送信される周波数領域を１サブフレーム内で一定に構成する。すなわち、基地局がリレーにリソースを半永続的に割り当てることによって、別途の制御チャネル（Ｒ−ＰＤＣＣＨ）が不要となり、基地局は、特定のリレーに半永続的に割り当てられたリソースによってバックホールデータを送信することができる。
【００５６】
図５において、基地局は、基地局と直接リンクで接続された端末の制御情報を送信するＰＤＣＣＨが送信されるＯＦＤＭシンボル区間４０１以降の無線リソースを、周波数次元で５つの領域（パーティション）に分割する。そして、基地局は、該当サブフレームのダウンリンクスケジューリングを行う上で、各パーティションを、基地局自身に直接リンクで接続された端末に割り当てるか、それとも、リレーのためのバックホールリンクに割り当てるかを決定する。
【００５７】
図５において、基地局は、第１のパーティションを端末１に割り当て、第２のパーティションをリレー１に割り当て、第３のパーティションを端末２に割り当て、第４のパーティションをリレー２に割り当て、第５のパーティションを端末３に割り当てる。ここで、リレー１及びリレー２にバックホールデータが送信される第２のパーティション及び第４のパーティションは、それぞれのリレーにリソースを半永続的に割り当てることによって、別途の制御チャネル（Ｒ−ＰＤＣＣＨ）が不要となり、基地局は、特定のリレーに半永続的に割り当てられたリソースによってバックホールデータを送信することができる。
【００５８】
しかしながら、このように半永続的にリレーにリソースを割り当てる場合は、動的なスケジューリングが難しいため、トラフィック量に応じたリソース割り当ての調節に制約が生じる。
【００５９】
図６は、制御チャネル及びデータチャネルが時分割多重化されたバックホールリンクのリソース割り当ての実施形態を示す図である。
【００６０】
トラフィック量に応じてリソースを動的にリレーに割り当てる場合は、各リレーに割り当てられたリソースの位置や、用いられる変調符号化方式（ＭＣＳ）などを通知するスケジューリング情報を必要とする。このようなスケジューリング情報は、制御チャネル（ＣＣＨ）でリレーに送信され、バックホールデータを受信するサブフレームの最初の１つ又は２つのＯＦＤＭシンボルでは自身のＰＤＣＣＨを送信するため、基地局が送信するＰＤＣＣＨ４０１を受信することができない。よって、リレーのための別途の制御チャネル６０１がＰＤＣＣＨ送信時点以降に存在しなければならない。
【００６１】
図６の実施形態において、基地局は、基地局と直接リンクで接続された端末の制御情報を送信するＰＤＣＣＨが送信されるＯＦＤＭシンボル区間４０１以降の無線リソースを、周波数次元で２つの領域（パーティション）に分割し、第１のパーティションをリレー１のバックホールデータの送信に割り当て、第２のパーティションをリレー２のバックホールデータの送信に割り当てる。そして、保護区間１０以降の所定のＯＦＤＭシンボル区間の全周波数帯域を用いてリレー１及びリレー２の制御チャネル６０１に割り当てる。
【００６２】
したがって、リレーの制御チャネル及びバックホールデータチャネルが時分割多重化（ＴＤＭ）され、基地局は、ＰＤＣＣＨ４０１の送信後に一部のＯＦＤＭシンボル送信区間で全周波数帯域を用いてリレーへの制御チャネル６０１を送信し、リレーの制御チャネル６０１に含まれるスケジューリング情報に従ってバックホールデータ６１０、６３０が送信される。
【００６３】
しかしながら、図６の実施形態においては、リレーの制御チャネルが周波数帯域全体を占有するため、基地局と直接リンクで接続された端末のデータチャネルを共に構成することができないという問題が発生し得る。
【００６４】
図７及び図８は、制御チャネル及びデータチャネルが周波数分割多重化されたバックホールリンクのリソース割り当ての実施形態を示す図である。
【００６５】
図７及び図８に示すように、リレーの制御チャネルは、バックホールデータと周波数分割多重化して送信することができる。すなわち、基地局は、一部の周波数リソースのみを使用して制御チャネルを送信し、制御チャネルに含まれるスケジューリング情報に従ってバックホールデータを送信する。
【００６６】
図７の実施形態において、基地局は、基地局と直接リンクで接続された端末の制御情報を送信するＰＤＣＣＨが送信されるＯＦＤＭシンボル区間４０１以降の無線リソースを、周波数次元で６つの領域（パーティション）に分割し、第１のパーティションをすべてのリレーのスケジューリング情報が送信される１つの制御チャネル７０１に割り当て、第２のパーティションを端末１のデータチャネル５１０に割り当て、第３のパーティションをリレー１のデータチャネル５２０に割り当て、第４のパーティションを端末２のデータチャネル５３０に割り当て、第５のパーティションをリレー２のデータチャネル５４０に割り当て、第６のパーティションを端末３のデータチャネル５５０に割り当てる。
【００６７】
また、図８の実施形態のように、それぞれのリレーに別途の独立した制御チャネル８０１、８０３を割り当てることによって、リレーがリレーのスケジューリング情報を容易に検索できるように構成してもよい。このように構成された場合、リレーの制御チャネルの位置及びサイズは、半永続的に決定し、上位層信号によってリレーに送信するようにしてもよい。
【００６８】
しかしながら、図７及び図８の実施形態においては、リレーがリレーの制御チャネル８０１、８０３を復号した後にバックホールデータチャネル５２０、５４０を復号するため、復号遅延が発生し得る。
【００６９】
以下、バックホールリンクリソースを複数のパーティションに分割し、リレーの制御チャネル及びバックホールデータチャネルを時分割多重化してリソースを割り当てると共に、基地局に直接接続された端末のデータチャネルが共存できるようにリソースを割り当てる方法をより詳細に説明する。
【００７０】
図４に示すように、基地局は、バックホールリンクチャネルのリソースを分割する際に、マクロ端末（Macro UE）の制御チャネル領域４０１を除いたリソース領域を周波数次元で少なくとも２つのパーティションに分割し、パーティション毎に端末又はリレーのためのリソース割当て領域をそれぞれ決定し、その後、リレーのためのリソース割当て領域として決定されたパーティションに対しては、リレーの制御チャネル及びデータチャネルを時分割多重化する方式でリソースを割り当てる。
【００７１】
よって、リレーのバックホールリンクチャネルに割り当てられたパーティションにおいては、最初のいくつかのＯＦＤＭシンボルで、当該パーティションの全周波数帯域を用いてリレーへの制御チャネルが先に送信される。制御チャネルは、当該パーティションの無線リソースが各リレーへのバックホールデータに割り当てられたリソース割当て結果に関するフィールドを有する。各リレーは、各パーティションの制御チャネルを復号し、制御チャネルに含まれるスケジューリング情報に従って後続するリソース領域のバックホールデータを復号する。したがって、１つのパーティション内でリレーの制御情報及びバックホールデータが時分割多重化（ＴＤＭ）され、リレーに割り当てられた１つのパーティションには少なくとも２つのリレーに送信されるバックホールデータが存在してもよい。また、基地局は、少なくとも２つの異なるパーティションによって１つのリレーにバックホールデータを送信することもできる。
【００７２】
図９は、端末及びリレーのデータチャネルがバックホールリンクチャネルに共存できるようにバックホールリンクリソースを複数のパーティションに分割してリソースを割り当てる実施形態を示す図である。
【００７３】
同図に示すように、基地局は、基地局と直接リンクで接続された端末（Macro UE）の制御情報を送信するＰＤＣＣＨが送信されるＯＦＤＭシンボル区間４０１以降の無線リソースを、周波数次元で４つの領域（パーティション）に分割し、第１のパーティション及び第４のパーティションをマクロ端末１及びマクロ端末２のデータチャネル５１０、５４０に割り当て、第２のパーティション及び第３のパーティションをリレーのバックホールチャネル５２０、５３１、５３２に割り当てる。
【００７４】
第２のパーティション及び第３のパーティションにおいては、最初のいくつかのＯＦＤＭシンボルで、当該パーティションの全周波数帯域を用いてリレーへの制御チャネル９０１、９０３が割り当てられる。しかしながら、図９は本発明の一例にすぎず、制御チャネルが該当パーティションのＯＦＤＭシンボル全体にわたって送信されてもよい。各パーティションに存在するリレーへの制御チャネルは、複数のリレー制御チャネルが互いにインタリーブされた構造でもよい。図９の例のように、リレーの復号過程を単純化するために、１つのリレーに送信される制御チャネルは１つのパーティションにのみ存在するように制限してもよい。その結果、同一のパーティションで送信されるリレー制御チャネルは当該パーティション内で互いにインタリーブされるが、異なるパーティションで送信されるリレー制御チャネルは互いにインタリーブされないという特徴を有する。
【００７５】
また、第３のパーティション内には、２つのバックホールデータチャネル５３１、５３２が周波数分割多重化されてそれぞれリレー２及びリレー３に割り当てられる。しかしながら、２つのバックホールデータチャネル５３１、５３２は、時分割多重化されて異なるＯＦＤＭシンボルに割り当てられるようにしてもよい。
【００７６】
また、リレーの制御チャネル９０１、９０３には、リレー１、リレー２、又はリレー３の制御情報（スケジューリング情報）が任意に含まれる。すなわち、パーティション２のリレー制御チャネル９０１にはリレー１、リレー２、及び／又はリレー３のスケジューリング情報が含まれ、パーティション３のリレー制御チャネル９０３にもリレー１、リレー２、及び／又はリレー３のスケジューリング情報が含まれる。
【００７７】
各リレーは、特定のパーティションにおいて制御チャネルが正常に復号されると、当該制御チャネルを含むパーティションにおける最初の所定数のＯＦＤＭシンボル送信区間でリレー制御信号が割り当てられたことを認識し、これに基づいてバックホールデータを復号する。制御チャネルが復号されていないパーティションに対しては、リレー制御信号がないとみなし、バックホールデータを復号することができる。
【００７８】
図１０は、端末及びリレーのデータチャネルがバックホールリンクチャネルに共存できるようにバックホールリンクリソースを複数のパーティションに分割してリソースを割り当てる他の実施形態を示す図である。
【００７９】
本発明の他の実施形態によれば、１つのパーティション内に少なくとも２つのリレーへのバックホールデータがある場合、各バックホールデータに対応する制御チャネルのサイズを調節することによって、リレーに割り当てられるバックホールデータのリソースの位置及び量を調節する方式が可能である。
【００８０】
同図に示すように、基地局が１つのパーティション（パーティション３）内で少なくとも２つのリレーにバックホールデータ（５３１、５３２）を送信する場合、各リレーへの制御チャネルが占める周波数領域のリソース（又は、リソースブロック）の数及び位置は、当該リレーに送信されるバックホールデータが占める数及び位置と一致するように設定される。すなわち、パーティション１及びパーティション２はリレーのバックホールチャネルに割り当てられ、パーティション１はリレー１のバックホールチャネルに割り当てられ、パーティション２はリレー２及びリレー３のバックホールデータを送信するためのバックホールチャネルに割り当てられる。ここで、リレー２及びリレー３の制御チャネル１００３、１００５は、それぞれリレー２及びリレー３のバックホールデータが占めるリソースのサイズと一致するように割り当てられる。
【００８１】
リレーは、リレーのＩＤでマスクされた巡回冗長検査（ＣＲＣ）を用いて制御チャネルを復号し、特定の位置で制御チャネルが正常に復号されると、当該制御チャネルが占有する周波数リソースをリレー自身に送信されるバックホールデータに割り当てられたものと認識し、バックホールデータの復号動作を行う。リレーは、このような動作を一定の領域にわたって繰り返し、リレー自身に送信されるバックホールデータを復号する。この方式によれば、リレーのための制御チャネルにリソース割り当て情報が不要となり、リレーの制御チャネルの位置及びサイズに応じて当該リレーへのバックホールデータのリソースの位置及び量を調節することができる。その結果、固定されたサイズを有する１つのパーティションに、複数のリレーへのバックホールデータを効果的に多重化することができる。
【００８２】
また、リレーの制御チャネルの復号における性能の向上及び複雑度の低減のために、リレーへの制御チャネルが占める周波数領域のリソースの数（又は、リソースブロックのサイズ）は、いくつかの候補の１つに制限してもよい。リレーの制御チャネルのサイズを制限する方式の１つとして、リレーへの制御チャネルが占める周波数領域のリソースの数は、一定値の倍数となるように制限してもよい。
【００８３】
各リレーは、基地局から特定の指示情報が送信されなければ、どのパーティションが当該リレーのバックホールデータの送信に割り当てられたかと、当該リレー自身に送信されるバックホールデータがどのパーティションに存在するかとが分からず、当該リレーの制御チャネルを復号することによって、当該リレー自身に割り当てられたリソースの位置などが分かる。よって、リレーへの制御チャネルは、リレーが直接復号してスケジューリング情報を確認できるように、固定されたフォーマット、位置、リソースの量、及びＭＣＳレベルを有するように設計してもよく、リレーがブラインド復号を容易に行えるように、いくつか限られた形態に設計してもよい。
【００８４】
場合によっては、リレーのブラインド復号の試行回数を低減するために、基地局は、リレーに割り当てることのできるパーティションの候補群を半永続的な方式で制限してもよい。また、基地局は、上位層信号によって、各リレーに割り当てることのできるパーティションの候補群を通知することができる。このように構成した場合、リレーは、バックホールリンクに割り当てられる可能性のあるパーティションに対してのみブラインド復号を行うことができるため、結果として、ブラインド復号の回数を減らすことができるという利点がある。
【００８５】
図１１は、周波数リソース全体を端末に割り当てられる領域とリレーに割り当てられる領域とに分けてリソースを割り当てる実施形態を示す図である。
【００８６】
同図に示すように、バックホールリンク周波数リソースを端末に割り当てる領域Ａと、バックホールリンク周波数リソースをリレーのバックホールリンクに割り当てる領域Ｂとにそれぞれ半永続的に分けられ、バックホールリンク領域Ｂは、リレーの制御チャネル１１０１が周波数帯域全体にわたって割り当てられ、リレーのバックホールデータは、パーティション５３０、５４０、５５０毎にそれぞれリレーに割り当てられる。よって、リレーは、周波数帯域全体にわたって制御チャネルのブラインド復号を行う必要がなく、リレーに割り当てられる領域Ｂに対してのみ制御チャネル１１０１のブラインド復号を行えばよいので、相対的に復号時間を短縮することができる。
【００８７】
本発明の他の実施形態によれば、基地局は、各リレーに割り当てることのできるパーティションの候補群を半永続的な方式で制限し、これを上位層信号によって各リレーに通知することができる。この場合、各リレーはリレー自身に割り当てられる可能性のあるパーティションに対してのみブラインド復号を行えばよいので、リレーのブラインド復号の回数を減らすことができるという利点がある。
【００８８】
図１２は、ビットマップによりバックホールリンクに割り当てられたパーティションの位置を通知する実施形態を示す図である。
【００８９】
同図に示すように、基地局は、予め定められている一部のＯＦＤＭシンボルを用いて、各パーティションがバックホールリンクに割り当てられているか否かを示すビットマップ１２０１をリレーに送信することもできる。
【００９０】
リレーは、まずビットマップ１２０１を復号することによって、どのパーティションがバックホールリンクに割り当てられたのかが分かり、制御チャネル１２０３、１２０５のブラインド復号を、バックホールリンクに割り当てられたパーティションの制御チャネルに制限して行うことができる。
【００９１】
同図に示すように、パーティション２の一部のＯＦＤＭシンボルにビットマップ１２０１が含まれるため、リレー１、リレー２、及びリレー３は、ビットマップ１２０１によって、当該リレーの制御情報が含まれる制御チャネルを把握することができる。
【００９２】
本発明の他の実施形態によれば、ビットマップは、少なくとも２つの異なるパーティションのリソースを用いて送信することもでき、ビットマップが存在するパーティションは、常にバックホールリンクチャネルに割り当てられるように設定することもできる。
【００９３】
本発明の他の実施形態によれば、リレーに送信される制御チャネルは、リレーに割り当てられた１つのパーティションの全周波数領域の一部にのみ存在してもよい。
【００９４】
図１３は、リレーの制御チャネルがバックホールチャネルに割り当てられたパーティションの周波数領域の一部分のみを占めるように割り当てられる実施形態を示す図である。
【００９５】
同図に示すように、パーティション２及びパーティション３は、バックホールリンクチャネルでリレー１、リレー２、及びリレー３に割り当てられる。
【００９６】
パーティション２は、リレー１へのバックホールデータが割り当てられ、パーティション２の制御チャネル１３０１の位置は、同図に示すように、パーティション２の最初の１つ又はそれ以上のＯＦＤＭシンボルに割り当てられる。ここで、パーティション２の制御チャネル１３０１は、当該パーティションの周波数領域全体に割り当てられるのではなく、一部にのみ割り当てられることもある。この場合、制御チャネル１３０１に割り当てられない周波数領域は、バックホールデータの送信に使用することができる。
【００９７】
パーティション３は、リレー２及びリレー３のバックホールデータが割り当てられ、パーティション３の制御チャネル１３０３は、パーティション２と同様に、当該パーティションの周波数領域全体に割り当てられるのではなく、一部の周波数領域にわたって割り当てられることがある。同様に、制御チャネル１３０３に割り当てられない周波数領域は、バックホールデータの送信に使用することができる。
【００９８】
制御チャネル１３０１、１３０３には、リレー１、リレー２、又はリレー３の制御情報（スケジューリング情報）が任意に含まれる。すなわち、パーティション２のリレー制御チャネル１３０１にはリレー１、リレー２、及び／又はリレー３のスケジューリング情報が含まれ、パーティション３のリレー制御チャネル１３０３にもリレー１、リレー２、及び／又はリレー３のスケジューリング情報が含まれる。
【００９９】
図１４は、リレーの制御チャネルがバックホールチャネルに割り当てられたパーティションの周波数領域の一部分のみを占めるように割り当てられる実施形態を示す図である。
【０１００】
同図に示すように、パーティション２及びパーティション３は、バックホールリンクチャネルでリレー１、リレー２、及びリレー３に割り当てられる。
【０１０１】
ここで、各リレーへの制御チャネルが占める周波数領域のリソース（又は、リソースブロック）の数及び位置は、当該リレーに送信されるバックホールデータが占める数及び位置と一致するように設定される。すなわち、パーティション１及びパーティション２はリレーのバックホールチャネルに割り当てられ、パーティション１はリレー１のバックホールチャネルに割り当てられ、パーティション２はリレー２及びリレー３のバックホールデータを送信するためのバックホールチャネルに割り当てられる。ここで、リレー２及びリレー３の制御チャネル１４０３、１４０５は、それぞれリレー２及びリレー３のバックホールデータが占めるリソースのサイズと一致するように割り当てられる。
【０１０２】
同図に示すように、パーティション２は、リレー１へのバックホールデータが割り当てられ、パーティション２の制御チャネル１４０１の位置は、同図に示すように、パーティション２の最初の１つ又はそれ以上のＯＦＤＭシンボルに割り当てられる。ここで、パーティション２の制御チャネル１４０１は、図１３と同様に、当該パーティションの周波数領域全体に割り当てられるのではなく、一部にのみ割り当てられることもある。この場合、制御チャネル１４０１にはリレー１のスケジューリング情報が含まれ、制御チャネル１４０１に割り当てられない周波数領域は、リレー１のバックホールデータの送信に使用することができる。
【０１０３】
パーティション３は、リレー２及びリレー３のバックホールデータが割り当てられ、パーティション３の制御チャネル１４０３、１４０５は、それぞれリレー２及びリレー３のバックホールデータが占めるリソースのサイズと一致するように割り当てられる。
【０１０４】
図１５は、他のパーティションに存在するリソースに関するスケジューリング情報を送信するように制御チャネルを割り当てる実施形態を示す図である。
【０１０５】
本実施形態においては、１つのパーティション内に存在する制御チャネルで他のパーティションの周波数リソースをスケジューリングする。すなわち、リレー１は、パーティション２及びパーティション３の一部の周波数リソースが割り当てられてバックホールデータ５２０を受信し、これに関するスケジューリング情報は、パーティション２に存在するリレー１の制御チャネル１５０１で送信され、パーティション３には、リレー１への制御チャネルが存在しなくなる。
【０１０６】
よって、１つのパーティションの制御チャネルで他のパーティションの周波数リソースの一部のみをスケジューリングすることもできる。
【０１０７】
前述したリレーのリソース割当て及びこれによるデータ受信動作をより簡単に実現するために、本発明の他の実施形態によれば、１つのパーティションには１つのリレーのためのバックホールデータが割り当てられるように制限してスケジューリングする。
【０１０８】
図１６は、１つのパーティションに特定のリレーのバックホールデータを割り当てる実施形態を示す図である。
【０１０９】
同図に示すように、バックホールデータの送信に使用される特定のパーティションは特定のリレーのバックホールチャネルに割り当て、よって、特定のパーティションには１つのリレーのバックホールデータが割り当てられるようにスケジューリングする。この場合、１パーティション当たり１つのリレーのデータが割り当てられるという制限によって、リソースの浪費が生じることがあるので、各パーティションが占めるリソースのサイズを適切に調節することが好ましい。例えば、３ＧＰＰ ＬＴＥシステムの場合は、パーティションのサイズを３つのリソースブロック単位で調節することができる。また、１つのリレーに複数の周波数リソースが割り当てられた場合、割り当てられたリソースのサイズに比例して制御チャネルのオーバーヘッドが大きくなることを防止するために、１つのパーティションの制御チャネルで他のパーティションのリソースをスケジューリングすることが好ましい。
【０１１０】
図１６に示すように、本実施形態においては、全周波数リソースを、上記実施形態と比較して周波数リソースのサイズが減少した８つの固定されたサイズのパーティションに分割し、各パーティションを端末（マクロ端末）のデータチャネル又はリレーのバックホールリンクチャネルに割り当てることができ、１つの端末に割り当てられるデータチャネルの周波数領域のリソースは１つのパーティションより大きい周波数リソース領域に割り当てることができる。
【０１１１】
同図に示すように、端末１のデータチャネル５１０は、パーティション１及びパーティション２の一部の周波数リソースに割り当てられ、端末２のデータチャネル５２０は、パーティション２の残りのリソースに割り当てられ、端末３のデータチャネル５４０は、パーティション７及びパーティション８のリソースに割り当てられる。
【０１１２】
また、残りのパーティションは、リレーのバックホールチャネルに割り当てられ、リレー１には、パーティション３に存在する制御チャネル１６０１を介してパーティション３、パーティション４、及びパーティション５がリレー１のバックホールデータチャネルに割り当てられることによって、リソースが割り当てられる。場合によっては、リレー２のように、１つのパーティションにより制御チャネル１６０３及びバックホールデータ５４０のチャネルが割り当てられるようにしてもよい。
【０１１３】
本実施形態は、図１５を参照して前述した実施形態と比較して、リソース割当て結果は類似するが、リレーの制御チャネル１６０１、１６０３が常に１つのパーティションの周波数領域全体を占めるという点で異なる。これは、各リレーが制御チャネルに含まれる制御情報をブラインド復号するために検索しなければならないリソースの位置が固定されているという点で、リレーの実現複雑度を下げることができるという利点がある。
【０１１４】
図１７〜図１９は、図１６を参照して説明した実施形態の変形実施形態を示す図である。
【０１１５】
図１７、図１８、及び図１９において、バックホールリンクチャネルのパーティション単位又はデータチャネル基本割当て単位は、３リソースブロック（ＲＢ）と仮定するが、これは一実施形態にすぎず、リレー制御チャネル（Ｒ−ＰＤＣＣＨ）に適した制御チャネル要素（ＣＣＥ）が定められれば、その値を使用するか、又はその値の整数倍と定義することが好ましい。
【０１１６】
１つのリレーに割り当てられるＲ−ＰＤＣＣＨは、可変のサイズで送信されるよりは、固定されたサイズで送信されることが好ましく、場合によっては、複数のＯＦＤＭシンボルにわたって送信することもできる。
【０１１７】
基地局は、上位層信号によって、各リレーへのＲ−ＰＤＣＣＨが占めるＯＦＤＭシンボルの数を設定することができる。このように定義されたＲ−ＰＤＣＣＨは、該当リレーに割り当てられたデータチャネル（Ｒ−ＰＤＳＣＨ）をスケジューリングする能力を有する。図１７の例においては、１つのパーティションのＲ−ＰＤＣＣＨによって、他のパーティションに存在する該当リレーへのデータチャネル（Ｒ−ＰＤＳＣＨ）をスケジューリングする。
【０１１８】
図１８において、最初のＲ−ＰＤＣＣＨは、後続の追加Ｒ−ＰＤＣＣＨを示すことができるように設計する。例えば、Ｒ−ＰＤＣＣＨの最初のＯＦＤＭシンボルは、ダウンリンクスケジューリング情報であれば、最初のシンボルに含まれる指示子ビットによって、次のＯＦＤＭシンボルにアップリンクスケジューリング情報が存在するか否かに関する指示を与えることができる。このような動作で、２つのシンボル（ダウンリンクスケジューリング情報及びアップリンクスケジューリング情報）は、必ずしも連続して位置する必要はない。Ｒ−ＰＤＣＣＨの設計の利便性のために、すべてのリレーのＲ−ＰＤＣＣＨシンボルの数（Ｎシンボル、Ｎ＝１，２，３，…，Ｎ＿ｍａｘ）を固定する方法も可能である。
【０１１９】
図１９に示すように、全てのパーティション単位又は割り当て単位にＲ−ＰＤＣＣＨを設計して送信する方法も可能であり、特に、この方式は、各パーティションに存在するＲ−ＰＤＳＣＨが、異なるトランスポートブロックに対応してチャネル符号化やＭＣＳの設定などが独立して行われる場合に活用することができる。もちろん、図１７と図１８の組み合わせの１つとして、１つのリレーがＮ個のパーティションによってＲ−ＰＤＳＣＨを受信する際に、これをスケジューリングするＲ−ＰＤＣＣＨは、Ｎより小さいか等しいＭ（Ｍ＝１，２，３，…，Ｎ）個のパーティションに存在するように動作することもできる。ここで、Ｍは該当リレーに送信されるトランスポートブロックの数又は符号語の数に設定してもよい。
【０１２０】
図２０は、本発明の一実施形態による基地局のバックホールチャネルリソース割当て及びデータ送信方法を順次示すフローチャートである。
【０１２１】
基地局は、基地局と直接リンクで接続された端末の制御情報を送信するＰＤＣＣＨが送信されるＯＦＤＭシンボル区間４０１以降の無線リソースを、周波数次元で少なくとも２つの領域（パーティション）に分割する（Ｓ２００１）。
【０１２２】
基地局は、パーティションの総数、各パーティションのサイズ、及び各パーティションが占めるリソースの位置などの情報を、上位層信号によってリレーに送信する（Ｓ２００３）。
【０１２３】
その後、基地局は、該当サブフレームのダウンリンクスケジューリングを行う上で、まず、各パーティションを、基地局自身に直接リンクで接続された端末に割り当てるか、それとも、リレーのためのバックホールリンクに割り当てるかを決定する（Ｓ２００５）。
【０１２４】
端末に割り当てられたパーティションでは、従来のように、端末に送信されるデータ（ＰＤＳＣＨ）が送信され、このためのスケジューリング情報は、端末に送信されるＰＤＣＣＨ４０１に含まれる。よって、１つのパーティションが端末への送信に使用される場合、少なくとも２つのデータチャネル（ＰＤＳＣＨ）が１つのパーティションに存在してもよい。
【０１２５】
リレーへのバックホールリンクに割り当てられたパーティションでは、リレーに送信されるデータチャネル（Ｒ−ＰＤＳＣＨ）と、それに関するスケジューリング情報が送信される制御チャネル（Ｒ−ＰＤＣＣＨ）とが送信されなければならない。ここで、リレーにリソースを割り当てるように決定されたバックホールリンクパーティションは、リレーの制御チャネル及びデータチャネルが時分割多重化（ＴＤＭ）又は周波数分割多重化（ＦＤＭ）されてリレーに送信されるようにすることができる。
【０１２６】
その後、端末のデータの送信のためのチャネルに割り当てられたパーティション、並びにリレーの制御情報及びデータの送信のためのチャネルに割り当てられたパーティションに対して、該当リソース要素にデータを割り当てる（Ｓ２００７）。
【０１２７】
その後、バックホールリンクチャネルでデータが割り当てられたパケットを送信する（Ｓ２０１５）。
【０１２８】
図２１は、本発明の一実施形態による基地局の構成を概略的に示すブロック図である。
【０１２９】
基地局は、送信器２１０１、制御装置２１０３、及び受信器２１０５を含む。
【０１３０】
制御装置２１０３は、ダウンリンクリソースを周波数次元で少なくとも２つのパーティションに分割し、分割された各パーティションに対して、リレーにリソースを割り当てるか、端末にリソースを割り当てるかを決定する。
【０１３１】
送信器２１０１は、決定されたパーティションにデータを割り当ててダウンリンクチャネルでリレー又は端末にデータを送信する。
【０１３２】
また、リレーにリソースを割り当てるように決定されたパーティションは、リレーの制御チャネル及びデータチャネルが時分割多重化（ＴＤＭ）又は周波数分割多重化（ＦＤＭ）されてリレーに送信されることを特徴とし、リレーの制御チャネル及びデータチャネルのリソース割当ては、前述した様々な実施形態によって実現することができる。
【０１３３】
図２２は、本発明の一実施形態によるリレーの構成を概略的に示すブロック図である。
【０１３４】
リレーは、送信器２２０１、復号器２２０３、及び受信器２２０５を含む。
【０１３５】
受信器２２０５は、バックホールリンクチャネルで基地局から送信されたデータを受信する。
【０１３６】
復号器２２０３は、受信したデータを所定の周波数領域においてブラインド復号して、復号器２２０３のバックホールデータに関するスケジューリング情報を検索し、周波数領域の特定の位置で制御チャネルが正常に復号されると、当該制御チャネルが占有する周波数リソースにデータが割り当てられたことを認識し、バックホールデータを復号する。
【０１３７】
以上説明した本発明による方法は、ソフトウェア、ハードウェア、又はそれらの組合せとして実現してもよい。例えば、本発明による方法は、記憶媒体（例えば、端末の内部メモリ、フラッシュメモリ、ハードディスクなど）に保存することができ、プロセッサ（例えば、端末の内部マイクロプロセッサ）によって実行されるソフトウェアプログラム内にコード又はコマンドで実現することができる。
【０１３８】
以上、本発明の好ましい実施形態を例に説明したが、本発明の範囲はこれらの特定の実施形態に限定されるものではないので、本発明は本発明の思想及び請求の範囲に記載された範疇内において様々な形態に修正、変更又は改善することができる。
【図１】
2014068385.tif 000003
【図２】
2014068385.tif 000004
【図３】
2014068385.tif 000005
【図４】
2014068385.tif 000006
【図５】
2014068385.tif 000007
【図６】
2014068385.tif 000008
【図７】
2014068385.tif 000009
【図８】
2014068385.tif 000010
【図９】
2014068385.tif 000011
【図１０】
2014068385.tif 000012
【図１１】
2014068385.tif 000013
【図１２】
2014068385.tif 000014
【図１３】
2014068385.tif 000015
【図１４】
2014068385.tif 000016
【図１５】
2014068385.tif 000017
【図１６】
2014068385.tif 000018
【図１７】
2014068385.tif 000019
【図１８】
2014068385.tif 000020
【図１９】
2014068385.tif 000021
【図２０】
2014068385.tif 000022
【図２１】
2014068385.tif 000023
【図２２】
2014068385.tif 000024
【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
無線通信システムにおけるリレーノードにおいて、基地局からのリソースブロック内のダウンリンク信号を復号する方法であって、
前記リソースブロックの第１パーティション内のダウンリンク割当てを復号するステップと、
前記ダウンリンク割当ての少なくとも一部が復号されたとき、前記リソースブロックの前記第１パーティションはダウンリンクデータ信号に使用されていないと推定するステップと、
前記リソースブロックの第２パーティション内のアップリンク許可を復号するステップと、を有し、
前記第１パーティションは前記リソースブロックの時間領域において前記第２パーティションの前に配置される、方法。
【請求項２】
前記ダウンリンク割当ては、前記リソースブロックの前記第２パーティションにダウンリンクデータ信号があるか否かを示す、請求項１に記載の方法。
【請求項３】
前記ダウンリンク割当てが、前記リソースブロックの前記第２パーティションに前記ダウンリンクデータ信号があることを示すとき、前記リソースブロックの前記第２パーティション内の前記ダウンリンクデータ信号を復号するステップを更に有する請求項２に記載の方法。
【請求項４】
前記リソースブロックの各パーティションに関係する構成を受信するステップを更に有し、
前記構成は、前記各パーティションのサイズと、前記各パーティションによって占められるリソースの位置とを示す、請求項１に記載の方法。
【請求項５】
無線通信システムにおける、基地局からのリソースブロック内のダウンリンク信号を復号するリレーノードであって、
受信モジュールと、
前記リソースブロックの第１パーティション内のダウンリンク割当てを復号し、前記ダウンリンク割当ての少なくとも一部が復号されたとき、前記リソースブロックの前記第１パーティションはダウンリンクデータ信号に使用されていないと推定し、前記リソースブロックの第２パーティション内のアップリンク許可を復号するように構成されたプロセッサと、を備え、
前記第１パーティションは前記リソースブロックの時間領域において前記第２パーティションの前に配置される、リレーノード。
【請求項６】
前記ダウンリンク割当ては、前記リソースブロックの前記第２パーティションにダウンリンクデータ信号があるか否かを示す、請求項５に記載のリレーノード。
【請求項７】
前記プロセッサは、前記ダウンリンク割当てが、前記リソースブロックの前記第２パーティションに前記ダウンリンクデータ信号があることを示すとき、前記リソースブロックの前記第２パーティション内の前記ダウンリンクデータ信号を復号するように更に構成される、請求項５に記載のリレーノード。
【請求項８】
前記受信モジュールは、前記リソースブロックの各パーティションに関係する構成を受信するように更に構成され、前記構成は前記各パーティションのサイズと、前記各パーティションによって占められるリソースの位置とを示す、請求項５に記載のリレーノード。